(57)【要約】【課題】ＬＰＧの洗浄においてメルカプタンの濃度上昇を防止するメルカプタン除去方法及びその装置を提供する。【解決手段】ＬＰＧをアルカリ溶液により洗浄する洗浄塔１と、洗浄塔１にＬＰＧを導入するＬＰＧ導入ライン２と、洗浄塔１からＬＰＧを送給するＬＰＧ送給ライン３とを備え、ＬＰＧからメルカプタンを除去するよう構成されたメルカプタン除去装置であって、洗浄塔１から送給するＬＰＧ中のメルカプタンの濃度が上昇した際には、ＬＰＧ導入ライン２及びＬＰＧ送給ライン３を閉止し、洗浄塔１中のＬＰＧを循環させてアルカリ溶液により洗浄するよう構成する。これにより、メルカプタンをアルカリ溶液に反応させてメルカプタンを取り除き、ＬＰＧの洗浄においてメルカプタンの濃度上昇を防止することができる。【選択図】図１
2005239943.tif 000002
【特許請求の範囲】
【請求項１】
洗浄塔に導入したＬＰＧをアルカリ溶液により洗浄してメルカプタンを除去し、ＬＰＧを送給するメルカプタン除去方法であって、前記洗浄塔から送給するＬＰＧ中のメルカプタンの濃度が上昇した際には、ＬＰＧの導入及び送給を停止し、洗浄塔中のＬＰＧを循環させてアルカリ溶液により洗浄することを特徴とするメルカプタン除去方法。
【請求項２】
メルカプタンの濃度を測定し、メルカプタンの濃度が規定値以上になった場合に、ＬＰＧの導入及び送給を停止し且つ洗浄塔中のＬＰＧを循環させる処理を自動的に行う請求項１記載のメルカプタン除去方法。
【請求項３】
ＬＰＧをアルカリ溶液により洗浄する洗浄塔と、該洗浄塔にＬＰＧを導入するＬＰＧ導入ラインと、前記洗浄塔からＬＰＧを送給するＬＰＧ送給ラインとを備え、ＬＰＧからメルカプタンを除去するよう構成されたメルカプタン除去装置であって、前記洗浄塔から送給するＬＰＧ中のメルカプタンの濃度が上昇した際には、ＬＰＧ導入ライン及びＬＰＧ送給ラインを閉止し、洗浄塔中のＬＰＧを循環させてアルカリ溶液により洗浄するよう構成したことを特徴とするメルカプタン除去装置。
【請求項４】
洗浄塔中のＬＰＧを循環させるＬＰＧ循環ラインを備えた請求項３記載のメルカプタン除去装置。
【請求項５】
メルカプタンの濃度を測定する分析器を備えた請求項３又は４記載のメルカプタン除去装置。
【請求項６】
ＬＰＧ導入ライン及びＬＰＧ送給ラインを閉止し且つ洗浄塔中のＬＰＧを循環させる処理を自動的に行うよう制御手段を備えた請求項３〜５のいずれかに記載のメルカプタン除去装置。
【発明の詳細な説明】
【技術分野】
【０００１】
本発明は、ＬＰＧを精製する際にメルカプタンを除去するメルカプタン除去方法及びその装置に関するものである。
【背景技術】
【０００２】
一般に、ＬＰＧを精製するプラントには、図２に示す如く、硫黄分のメルカプタンを取り除くよう原料のＬＰＧを苛性ソーダのアルカリ溶液により洗浄する洗浄塔１を備えており、洗浄塔１の下方側部には、塔内へＬＰＧを導入し得るＬＰＧ導入ライン２を接続し、洗浄塔１の頂部には、処理したＬＰＧを塔外へ送給するＬＰＧ送給ライン３を接続し、洗浄塔１の上方側部には、塔内へ苛性ソーダのアルカリ溶液を供給するＮａＯＨ供給ライン４を接続し、洗浄塔１の底部には、使用済のアルカリ溶液を排出する排出ライン５を接続している。
【０００３】
プラントの稼動時には、洗浄塔１に下方から原料のＬＰＧを導入すると共に上方からＮａＯＨのアルカリ溶液を供給し、夫々の比重差により原料のＬＰＧを上方へ浮上させると共にアルカリ溶液を下方へ沈降させ、両者を対流接触させることによりＬＰＧ中のメルカプタンとアルカリ溶液を反応させてＬＰＧから硫黄分のメルカプタンを取り除き、洗浄したＬＰＧを塔外へ送給すると共に、メルカプタン及びアルカリ溶液を塔外へ排出している。
【０００４】
ここでメルカプタン（ＲＳＨ：Ｒはアルキル基）とアルカリ溶液（ＮａＯＨ）の化学反応を示すと、ＲＳＨ＋ＮａＯＨ→ＮａＳＲ＋Ｈ２Ｏである。
【０００５】
なお、ＬＰＧからメルカプタンを除去する方法及び装置としては特許文献１〜３がある。
【特許文献１】特開平７−１１８６７２号公報
【特許文献２】特開２００２−５２３７１号公報
【特許文献３】特開２０００−８０５５号公報
【発明の開示】
【発明が解決しようとする課題】
【０００６】
しかしながら、洗浄塔１の長期間の稼動により洗浄塔１内には反応生成物のＮａＳＲが蓄積するため、反応生成物のＮａＳＲの濃度上昇に伴ってメルカプタンの平衡反応によりＲＳＨ＋ＮａＯＨ←ＮａＳＲ＋Ｈ２Ｏの方向へ反応が進み、洗浄塔１より送給されるＬＰＧにおいてメルカプタン（ＲＳＨ）の濃度が高くなり、硫黄濃度が規定値を超えるという問題があった。又、洗浄塔１内にＮａＳＲが蓄積してメルカプタンの濃度が上昇した場合には、洗浄塔１内の充填物を抜き取って洗浄する必要があるため、手間と時間を要し、大きな損失を生じるという問題があった。
【０００７】
本発明は上述の実情に鑑み、ＬＰＧの洗浄においてメルカプタンの濃度上昇を防止するメルカプタン除去方法及びその装置を提供することを目的としたものである。
【課題を解決するための手段】
【０００８】
本発明の請求項１は、洗浄塔に導入したＬＰＧをアルカリ溶液により洗浄してメルカプタンを除去し、ＬＰＧを送給するメルカプタン除去方法であって、前記洗浄塔から送給するＬＰＧ中のメルカプタンの濃度が上昇した際には、ＬＰＧの導入及び送給を停止し、洗浄塔中のＬＰＧを循環させてアルカリ溶液により洗浄することを特徴とするメルカプタン除去方法、にかかるものである。
【０００９】
本発明の請求項２は、メルカプタンの濃度を測定し、メルカプタンの濃度が規定値以上になった場合に、ＬＰＧの導入及び送給を停止し且つ洗浄塔中のＬＰＧを循環させる処理を自動的に行う請求項１記載のメルカプタン除去方法、にかかるものである。
【００１０】
本発明の請求項３は、ＬＰＧをアルカリ溶液により洗浄する洗浄塔と、該洗浄塔にＬＰＧを導入するＬＰＧ導入ラインと、前記洗浄塔からＬＰＧを送給するＬＰＧ送給ラインとを備え、ＬＰＧからメルカプタンを除去するよう構成されたメルカプタン除去装置であって、前記洗浄塔から送給するＬＰＧ中のメルカプタンの濃度が上昇した際には、ＬＰＧ導入ライン及びＬＰＧ送給ラインを閉止し、洗浄塔中のＬＰＧを循環させてアルカリ溶液により洗浄するよう構成したことを特徴とするメルカプタン除去装置、にかかるものである。
【００１１】
本発明の請求項４は、洗浄塔中のＬＰＧを循環させるＬＰＧ循環ラインを備えた請求項３記載のメルカプタン除去装置、にかかるものである。
【００１２】
本発明の請求項５は、メルカプタンの濃度を測定する分析器を備えた請求項３又は４記載のメルカプタン除去装置、にかかるものである。
【００１３】
本発明の請求項６は、ＬＰＧ導入ライン及びＬＰＧ送給ラインを閉止し且つ洗浄塔中のＬＰＧを循環させる処理を自動的に行うよう制御手段を備えた請求項３〜５のいずれかに記載のメルカプタン除去装置、にかかるものである。
【００１４】
このように、本発明によれば、メルカプタンの濃度が上昇した際にはＬＰＧの導入及び送給を停止し、洗浄塔中のＬＰＧを循環させてアルカリ溶液により洗浄するので、メルカプタンをアルカリ溶液に反応させてメルカプタンを取り除き、ＬＰＧの洗浄においてメルカプタンの濃度上昇を防止し、ＬＰＧの中の硫黄濃度を規定値以下にすることができる。又、メルカプタンの濃度が上昇した場合でも、洗浄塔内の充填物を抜き取って洗浄することを不要にするので、手間と時間を低減し、損失の発生を抑制することができる。
【００１５】
メルカプタンの濃度を測定し、メルカプタンの濃度が規定値以上になった場合に、ＬＰＧの導入及び送給を停止し且つ洗浄塔中のＬＰＧを循環させる処理を自動的に行うと、ＬＰＧの洗浄においてメルカプタンの濃度上昇を容易に防止し、ＬＰＧの中の硫黄濃度を好適に規定値以下にすることができる。
【００１６】
洗浄塔中のＬＰＧを循環させるＬＰＧ循環ラインを備えると、洗浄塔中のＬＰＧを適切に循環させるので、ＬＰＧの洗浄によりメルカプタンの濃度上昇を容易に防止し、ＬＰＧの中の硫黄濃度を一層好適に規定値以下にすることができる。
【００１７】
メルカプタンの濃度を測定する分析器を備えると、メルカプタンの濃度が規定値以上になったことを確実に判断するので、ＬＰＧの洗浄によりメルカプタンの濃度上昇を容易に防止し、ＬＰＧの中の硫黄濃度を一層好適に規定値以下にすることができる。
【００１８】
ＬＰＧ導入ライン及びＬＰＧ送給ラインを閉止し且つ洗浄塔中のＬＰＧを循環させる手順を自動的に行うよう制御手段を備えると、ＬＰＧの洗浄においてメルカプタンの濃度上昇を容易に防止し、ＬＰＧの中の硫黄濃度を一層好適に規定値以下にすることができる。
【発明の効果】
【００１９】
本発明のメルカプタン除去方法及びその装置によれば、メルカプタンをアルカリ溶液に反応させてメルカプタンを取り除き、ＬＰＧの洗浄においてメルカプタンの濃度上昇を防止することができる。
【発明を実施するための最良の形態】
【００２０】
以下、本発明の実施の形態を図面に基づいて説明する。
【００２１】
図１は、本発明のメルカプタン除去方法及びその装置を実施する形態例であり、図中、図２と同一の符号を付した部分は同一物を表わしている。
【００２２】
本形態例のメルカプタン除去方法及びその装置は、ＬＰＧ導入ライン２に第一閉止弁６を備えると共に、ＬＰＧ送給ライン３に第二閉止弁７を備えており、ＬＰＧ送給ライン３における洗浄塔１と第二閉止弁７の間には、ＬＰＧ送給ライン３から分岐するようＬＰＧ循環ライン８を備え、ＬＰＧ循環ライン８には循環ポンプ９を備えると共に、供給先を、ＬＰＧ導入ライン２における第一閉止弁６と洗浄塔１の間に接続している。又、ＬＰＧ循環ライン８におけるＬＰＧ送給ライン３と循環ポンプ９の間には、第三閉止弁１０を備えると共に、ＬＰＧ循環ライン８における循環ポンプ９とＬＰＧ導入ライン２の間には、第四閉止弁１１を備えている。
【００２３】
一方、ＬＰＧ送給ライン３における洗浄塔１とＬＰＧ循環ライン８の間には、洗浄塔１から送給されるＬＰＧ中のメルカプタンの濃度を測定するよう分析器１２を接続している。
【００２４】
又、分析器１２には、メルカプタンの濃度信号を送り得る制御手段１３を接続しており、制御手段１３は、メルカプタンの濃度に伴って第一閉止弁６、第二閉止弁７、第三閉止弁１０、第四閉止弁１１に夫々、開閉信号を送ると共に、循環ポンプ９に駆動信号若しくは停止信号を送るよう構成されている。
【００２５】
以下、本発明を実施する形態例の作用を説明する。
【００２６】
プラントの稼動時には、従来例と略同様に、洗浄塔１に下方から原料のＬＰＧを導入すると共に上方からＮａＯＨのアルカリ溶液を供給し、夫々の比重差により原料のＬＰＧを上方へ浮上させると共にアルカリ溶液を下方へ沈降させ、両者を対流接触させることにより原料のＬＰＧ中のメルカプタンとアルカリ溶液を反応させてＬＰＧから硫黄分のメルカプタンを取り除き、洗浄したＬＰＧを塔外へ送給すると共に、メルカプタン及びアルカリ溶液を塔外へ排出する。
【００２７】
ここで、分析器１２は、洗浄塔１から送給されるＬＰＧ中のメルカプタンの濃度を適宜測定すると共に、制御手段１３に濃度信号を送っており、制御手段１３は、ＬＰＧ中のメルカプタンの濃度が所定の規定値より高くなったかどうかを比較している。
【００２８】
一方、洗浄塔１の長時間の駆動により洗浄塔１内に反応生成物のＮａＳＲが蓄積し、ＬＰＧ中のメルカプタンの濃度が所定の規定値より高くなった場合には、制御手段１３は、第一閉止弁６及び第二閉止弁７に閉止信号を送り、ＬＰＧ導入ライン２及びＬＰＧ送給ライン３を閉止してＬＰＧの導入及びＬＰＧの送給を停止し、次に、第三閉止弁１０及び第四閉止弁１１に開放信号を送ってＬＰＧ循環ライン８を開放すると共に、循環ポンプ９に駆動信号を送ってＬＰＧを、洗浄塔１、ＬＰＧ送給ライン３の一部、ＬＰＧ循環ライン８及びＬＰＧ導入ライン２の一部の間で循環させる。
【００２９】
ＬＰＧは、洗浄塔１、ＬＰＧ送給ライン３の一部、ＬＰＧ循環ライン８及びＬＰＧ導入ライン２の一部の間で循環すると、ＮａＯＨのアルカリ溶液により何度も洗浄され、メルカプタンが取り除かれると共に、洗浄塔１から蓄積した反応生成物のＮａＳＲが洗い流される。
【００３０】
続いて、ＬＰＧ中のメルカプタンの濃度が所定の規定値より低くなった場合には、制御手段１３は、逆に、循環ポンプ９に停止信号を送ってＬＰＧの循環を停止すると共に第三閉止弁１０及び第四閉止弁１１に閉止信号を送ってＬＰＧ循環ライン８を閉止し、次に、第一閉止弁６及び第二閉止弁７に開放信号を送ってＬＰＧ導入ライン２及びＬＰＧ送給ライン３を開放して通常の稼動状態に戻す。
【００３１】
このように、本形態例によれば、メルカプタンの濃度が上昇した際にはＬＰＧの導入及び送給を停止し、洗浄塔１中のＬＰＧを循環させてアルカリ溶液により洗浄するので、メルカプタンをアルカリ溶液に反応させてメルカプタンを取り除くと共に、洗浄塔１内に蓄積した反応生成物のＮａＳＲを洗い流し、ＬＰＧの洗浄においてメルカプタンの濃度上昇を防止し、ＬＰＧの中の硫黄濃度を規定値以下にすることができる。又、メルカプタンの濃度が上昇した場合でも、ＬＰＧの循環によるメルカプタンの濃度低下及びＮａＳＲの洗浄により、洗浄塔１内の充填物を抜き取って洗浄することを不要にするので、手間と時間を低減し、損失の発生を抑制することができる。
【００３２】
メルカプタンの濃度を測定し、メルカプタンの濃度が規定値以上になった場合に、ＬＰＧの導入及び送給を停止し且つ洗浄塔１中のＬＰＧを循環させる処理を自動的に行うと、ＬＰＧの洗浄においてメルカプタンの濃度上昇を容易に防止し、ＬＰＧの中の硫黄濃度を好適に規定値以下にすることができる。
【００３３】
洗浄塔１中のＬＰＧを循環させるＬＰＧ循環ライン８を備えると、洗浄塔１中のＬＰＧを適切に循環させるので、ＬＰＧの洗浄によりメルカプタンの濃度上昇を容易に防止し、ＬＰＧの中の硫黄濃度を一層好適に規定値以下にすることができる。
【００３４】
メルカプタンの濃度を測定する分析器１２を備えると、メルカプタンの濃度が規定値以上になったことを確実に判断するので、ＬＰＧの洗浄によりメルカプタンの濃度上昇を容易に防止し、ＬＰＧの中の硫黄濃度を一層好適に規定値以下にすることができる。
【００３５】
ＬＰＧ導入ライン２及びＬＰＧ送給ライン３を閉止し且つ洗浄塔１中のＬＰＧを循環させる手順を自動的に行うよう制御手段１３を備えると、ＬＰＧの洗浄においてメルカプタンの濃度上昇を容易に防止し、ＬＰＧの中の硫黄濃度を一層好適に規定値以下にすることができる。
【００３６】
なお、本発明のメルカプタン除去方法及びその装置は、上述の形態例のみに限定されるものではなく、分析器と制御手段をまとめて一つの機器にしてもよいこと、メルカプタンの濃度と規定値の比較を制御手段で行う代りに分析器で行って制御手段に処理信号を送ってもよいこと、その他、本発明の要旨を逸脱しない範囲内において種々変更を加え得ることは勿論である。
【図面の簡単な説明】
【００３７】
【図１】本発明のメルカプタン除去方法及びその装置を実施する形態例を示す概念図である。
【図２】従来のメルカプタン除去装置を示す概念図である。
【符号の説明】
【００３８】
１  洗浄塔
２  ＬＰＧ導入ライン
３  ＬＰＧ送給ライン
８  ＬＰＧ循環ライン
１２  分析器
１３  制御手段
【図１】
2005239943.tif 000003
【図２】
2005239943.tif 000004